(57)【要約】【課題】  浴室内から補強構造が見えて外観が損なわれるようなことがなく、容易に取付可能なユニットバスルーム１０の天井補強構造を提供することにある。【解決手段】  ユニットバスルーム１０の天井裏に設置する機器の四周に張力を付与した状態で架設するワイヤー状のユニットバスルーム１０の天井補強構造であって、一端が天井裏に設置する機器６の四周に取付けられ、他端がユニットバスルーム１０の天井裏の四隅に設けた支柱４に取付けられた４本のワイヤー状部材であって、各ワイヤー状部材１には、ワイヤー長さを調整するワイヤー長さ調整部２を備えている。【選択図】  図１
2005068853.tif 000002
【特許請求の範囲】
【請求項１】
ユニットバスルームの天井裏に設置する機器の四周に張力を付与した状態で架設するワイヤー状のユニットバスルームの天井補強構造であって、
一端が天井裏に設置する機器の四周に適宜間隔を設けて取付けられ、他端がユニットバスルームの天井裏の四隅に設けた支柱に取付けられた４本のワイヤー状部材から成り、各ワイヤー状部材には、ワイヤー長さを調整するワイヤー長さ調整部を備えてなることを特徴とするユニットバスルームの天井補強構造。
【請求項２】
前記ワイヤー長さ調整部は、ワイヤー状部材を構成する２本のワイヤーロープ部のうち、一方のワイヤーロープ部の一端に設けられたロッド状部材の外周部が雄ネジに形成される雄ネジ部と、もう一方のワイヤーロープ部の一端に設けられた筒状部材の内周部が前記雄ネジと螺合する雌ネジが形成される雌ネジ部とからなることを特徴とする請求項１に記載のユニットバスルームの天井補強構造。
【請求項３】
前記雄ネジ部及び雌ネジ部は、ワイヤーロープ部の先端に回動可能に固着されていることを特徴とする請求項２に記載の天井補強構造。
【発明の詳細な説明】
【技術分野】
【０００１】
本発明は、ユニットバスルームの天井補強構造に関するものであり、詳しくは天井裏に設置する機器の四周に張力を付与した状態で架設するユニットバスルームの天井補強構造に関するものである。
【背景技術】
【０００２】
従来、図４に示すように、ユニットバスルーム１０の天井面を形成する天井パネル３に暖房機６等の機器を設置する場合には、天井パネル３の撓みを防ぐために、天井パネル３の裏側に補強Ｌアングル５１を掛け渡し状に設けて、この補強Ｌアングル５１で暖房機６の荷重を支えるようにしている。既存のユニットバスルーム１０に暖房機６等を後付けしようとする場合に、前記補強Ｌアングル５１を既存のユニットバスルーム１０の点検口から天井パネル３の裏側へ入れることは、天井裏が非常に狭いために困難であり、従って、後付けで補強Ｌアングル５１を取り付けることは困難で、暖房機６等の機器の後付けが困難なものとなっていた。
【０００３】
そのため、図５に示すように、天井パネル３の一端側から他端側に亘り掛け渡し可能な長さ寸法に設定された補強部材２０の両端側に形成された固定フランジ部２１を側壁パネル８に固定している。すなわち、ユニットバスルーム１０の天井裏に暖房機６等の機器を設置するに際し、該機器の荷重による天井面の撓みを防止するための補強部材２０を、ユニットバスルーム１０の室内側から、前記天井の下面の一端側から他端側に亘り掛け渡し状に取り付けた天井補強構造として、既存のユニットバスルーム１０に後付けで暖房機６等の機器を良好に設置できるようにしている。（特許文献１）
しかし、上記のような従来のユニットバスルーム１０の天井補強構造では、室内側から補強部材２０を取付けているため、外観が損なわれる上に、天井パネル３の四周から垂下する側壁パネル８にネジ孔を設けて、ネジで固定する必要があるため、取り付けに手間がかかるという問題が生じる。
【特許文献１】特開２００１−１５９２５０号公報
【発明の開示】
【発明が解決しようとする課題】
【０００４】
本発明は、このような点に鑑みてなされたものであり、その目的とするところは、浴室内から補強構造が見えて外観が損なわれるようなことがなく、容易に取付可能なユニットバスルームの天井補強構造を提供することである。
【課題を解決するための手段】
【０００５】
上記した課題を解決するために、本発明の請求項１に係るユニットバスルームの天井補強構造は、ユニットバスルームの天井裏に設置する機器の四周に張力を付与した状態で架設するワイヤー状のユニットバスルームの天井補強構造であって、一端が天井裏に設置する機器の四周に適宜間隔を設けて取付けられ、他端がユニットバスルームの天井裏の四隅に設けた支柱に取付けられた４本のワイヤー状部材から成り、各ワイヤー状部材には、ワイヤー長さを調整するワイヤー長さ調整部を備えてなることを特徴とする。
【０００６】
本発明の請求項２に係るユニットバスルームの天井補強構造は、前記ワイヤー長さ調整部が、ワイヤー状部材を構成する２本のワイヤーロープ部のうち、一方のワイヤーロープ部の一端に設けられたロッド状部材の外周部が雄ネジに形成される雄ネジ部と、もう一方のワイヤーロープ部の一端に設けられた筒状部材の内周部が前記雄ネジと螺合する雌ネジが形成される雌ネジ部とからなることを特徴とする。
【０００７】
本発明の請求項３に係るユニットバスルームの天井補強構造は、前記雄ネジ部及び雌ネジ部が、ワイヤーロープ部の先端に回動可能に固着されていることを特徴とする。
【発明の効果】
【０００８】
本発明の請求項１に係るユニットバスルームの天井補強構造によると、ワイヤー長さ調整部で各ワイヤー状部材のワイヤー長さを調整することにより、各ワイヤー状部材に適当な引張張力を付与することができる。その結果、天井裏に設置する機器の重量の一部もしくは全部を４本のワイヤー状部材を通じて各支柱が負担することになり、天井パネルにかかる機器の重量の負担が減少して、天井パネルの撓みを防止することができる。さらに、ワイヤー長さ調整部で付与する引張張力を調整して、天井補強構造で負担する機器の重量を任意に決定することができるので、支柱の耐荷重性や、天井パネルにかかる全荷重を考慮した最適な天井の補強をおこなうことができる。
【０００９】
この請求項２に係るユニットバスルームの天井補強構造によると、上述した請求項１の効果に加えて、雄ネジ部と雌ネジ部の螺合位置を変えることにより、容易にネジの締緩ができるため、操作性が良く、張力の調整も容易である。
【００１０】
この請求項３に係るユニットバスルームの天井補強構造によると、上述した請求項１の効果に加えて、雄ネジ部及び雌ネジ部がワイヤーロープ部に回動可能に固着されていることにより、雄ネジ部もしくは雌ネジ部の回転とともにワイヤーロープ部が回転することがなく、ワイヤー長さ調整時にワイヤーロープ部が捻るのを有効に防止することができる。
【発明を実施するための最良の形態】
【００１１】
本発明を図に示す実施形態に基づいて詳細に説明する。本発明の実施形態におけるの概略図を図１乃至図３に示す。図１乃至図３において、１はワイヤー状部材、２はワイヤー長さ調整部、３は天井パネル、４は支柱、５は取付け用治具、６は暖房機、１０はユニットバスルーム、１１はワイヤーロープ部、１２は雄ネジ部、１３は雌ネジ部、１４は雄ネジ操作部である。
【００１２】
図１は、ユニットバスルーム１０及びその天井補強構造の構成を示す概略図である。同図に示すように浴室内に浴槽等を備えたユニットバスルーム１０の天井パネル３の天井裏に、暖房機６が設置されている。この暖房機６の四周のコーナー部各々に、断面Ｌ字状の取付け用治具５が固定されている。この取付け用治具５は、ワイヤー状部材１の一端が取り付け可能に形成されている。
【００１３】
ユニットバスルーム１０の４本の支柱４は、天井パネル３より上部に延出され、夫々の延出部は、ワイヤー状部材１の一端が取り付け可能に形成されている。なお、ワイヤー状部材１の一端の、取付け用治具５や支柱４の延出部への取付けは、ワイヤー状部材１の一端に設けたネジ状端子を、取付け用治具５や支柱４に設けたネジ孔に螺着してもよく、また、取付け用治具５や支柱４に設けた孔部にワイヤー状部材１の一端を挿通させて締結しても良く、また、これらに限定されず、公知の取り付け方法が用いられる。
【００１４】
ワイヤー状部材１は、その両端間に、ワイヤー長さを調整するワイヤー長さ調整部２が備えられている。このワイヤー長さ調整部２で、各ワイヤー状部材１のワイヤー長さを調整することにより、各ワイヤー状部材１に適当な引張張力を付与することができる。これにより、暖房機６の重量の一部もしくは全部を４本のワイヤー状部材１を通じて各支柱４が負担することになり、天井パネル３にかかる暖房機６の重量の負担が減少する。その結果、暖房機６の荷重による天井パネル３の撓みを防止することができる。天井補強構造で負担する暖房機６の重量は予め設定され、これに基づいて、最終的な各ワイヤー状部材１の長さや張力が決定される。換言すれば、本発明に係る天井補強構造によれば、負担すべき暖房機６の荷重を任意に設定することができるため、支柱の耐荷重性や、天井パネルにかかる全荷重を考慮して決定することができる。
【００１５】
このとき、ワイヤー状部材１の各々に、各ワイヤー状部材１に生じる張力を計測する図示しない張力計測部を設けることが好ましい。この場合にあっては、各ワイヤー状部材１で生じる張力が明確になるため、各ワイヤー状部材間１の引張張力を容易に合わせることができ、各支柱４が略均等に補強を行なうことができるため、支柱４間に偏りのない安定した補強をおこなうことができる。張力の計測は、例えばワイヤー式のリニアエンコーダようなワイヤーの引き出し量で移動距離を計測するものや圧力やひずみを計測するものを用いてもよく、その他公知の張力計測方法を用いてもよい。
【００１６】
図２は、ワイヤー長さ調整部２の概略を示した斜視図であり、図３は、ワイヤー長さ調整部２の概略を示した断面図である。ワイヤー長さ調整部２は、２本のワイヤーロープ部１１の各々の一端に設けられた雄ネジ部１２、雌ネジ部１３から構成される。
【００１７】
雄ネジ部１２は、２本のワイヤーロープ部１１のうち、一方のワイヤーロープ部１１の一端に設けられた鉄鋼製のロッド状部材であって、外周部に雄ネジが螺設されている。
【００１８】
雌ネジ部１３は、２本のワイヤーロープ部１１のうち、もう一方のワイヤーロープ部１１の一端に設けられた鉄鋼製の筒状部材であって、内周部に雄ネジ部１２の雄ネジと螺合する雌ネジが螺設されている。
【００１９】
また、雄ネジ部１２及び雌ネジ部１３には、各々図示しない挿入孔が、軸中心にそって所定の長さだけ穿設されており、当該挿入孔に、ワイヤーロープ部１１の一端の適当な長さを介挿させた後、雄ネジ部１２及び雌ネジ部１３が回動可能に固着されている。
【００２０】
ワイヤー状部材１の長さを調節は、雄ネジ部１２及び雌ネジ部１３を螺合させた状態で、雄ネジ部１２もしくは雌ネジ部１３を回転させることにより行なう。この際、雄ネジ部１２及び雌ネジ部１３がワイヤーロープ部１１に回動可能に固着されていることにより、雄ネジ部１２もしくは雌ネジ部１３の回転とともにワイヤーロープ部１１が回転して捻るのを防止している。
【００２１】
雄ネジ部１２を回転してワイヤー状部材１の長さを調節する場合には、雄ネジが螺設された部位を回転するのでは操作性の問題があるため、雌ネジ部１３と一体に雄ネジ操作部１４を設け、雌ネジ部１３と雄ネジ操作部１４が一体となって回動するようし、当該雄ネジ操作部１４でもって雌ネジ部１３の回転を行なうのが好ましい。
【００２２】
雄ネジ部１２及び雌ネジ部１３から構成されるワイヤー長さ調整部２を備えたワイヤー状部材１を用いた天井の補強は、以下の様に行なう。
【００２３】
まず、雄ネジ部１２及び雌ネジ部１３が予め螺合された状態の４本のワイヤー状部材１の一端を取付け用治具５に、他端を支柱４の延出部に各々固定する。その際、雄ネジ部１２もしくは雌ネジ部１３を回転させて速やかに張力が生じるよう、各ワイヤー状部材１の長さを、取付け用治具５から支柱４までの各々の長さよりも若干量だけ長くなるようにしておく。
【００２４】
次に、雄ネジ操作部１４で雄ネジ部１２を回転させるか雌ネジ部１３を回転させ、所定のワイヤー長さもしくは張力が予め定めた設定値になるまでワイヤーを短くしていく。この設定値は、予め天井補強構造で負担する暖房機６の荷重に基づいて設定された値であって、その値は、暖房機６の荷重の全部であってもよいし、一部であってもよい。また、各ワイヤー状部材１に、ワイヤー長さや、張力を計測する手段を備えている場合には、各ワイヤー状部材１に生じる張力を容易に調整することができる。
【００２５】
本実施形態においては、雄ネジ部１２及び雌ネジ部１３は鉄鋼製であったが、これに限定されるものではなく、他の金属材料からなるものであってもよいし、繊維強化した樹脂成形品であってもよく、取付ける重量物に応じて公知の材料が適宜用いられる。
【００２６】
また、本実施形態においてワイヤー状部材１で架設される機器は暖房機６であったが、これに限定されるものではなく、乾燥機や換気装置のような、天井裏に設置する重量の大きいその他の機器にも好適に用いることができる。
【図面の簡単な説明】
【００２７】
【図１】ユニットバスルーム及び本発明にかかる天井補強構造の構成を示す概略図である。
【図２】本発明の天井補強構造において、ワイヤー長さ調整部の概略を示した斜視図である。
【図３】本発明の天井補強構造において、ワイヤー長さ調整部の概略を示した断面図である。
【図４】従来例を示す概略図である。
【図５】図４とは別の従来例を示す概略図である。
【符号の説明】
【００２８】
１    ワイヤー状部材
２    ワイヤー長さ調整部
４    支柱
１０  ユニットバスルーム
１１  ワイヤーロープ部
１２  雄ネジ部
１３  雌ネジ部
１４  雄ネジ操作部
【図１】
2005068853.tif 000003
【図２】
2005068853.tif 000004
【図３】
2005068853.tif 000005
【図４】
2005068853.tif 000006
【図５】
2005068853.tif 000007
【手続補正書】
【提出日】平成15年8月26日(2003.8.26)
【手続補正１】
【補正対象書類名】図面
【補正対象項目名】図２
【補正方法】変更
【補正の内容】
【図２】
2005068853.tif 000008
【手続補正２】
【補正対象書類名】図面
【補正対象項目名】図３
【補正方法】変更
【補正の内容】
【図３】
2005068853.tif 000009
【手続補正３】
【補正対象書類名】図面
【補正対象項目名】図４
【補正方法】変更
【補正の内容】
【図４】
2005068853.tif 000010
【手続補正４】
【補正対象書類名】図面
【補正対象項目名】図５
【補正方法】変更
【補正の内容】
【図５】
2005068853.tif 000011